(57)【特許請求の範囲】
【請求項１】
容器の口部に冠着されるキャップの上方に、ノズルヘッドの側方に吐出口を突出させたノズルが配設され、ノズルの外筒部とキャップの天板部との間に、ノズルの外筒部よりも小径の筒状部がステム状に露出しているポンプ式吐出容器に対して着脱自在に装着されるノズルカバーキャップであって、ノズルの吐出口を覆うノズルヘッドカバー部と、ノズルの下降を阻止するストッパー部とが、両者を連結する連結部を介して一体的に形成されているストッパー付きノズルカバーキャップにおいて、
ノズルの吐出口を覆うノズルヘッドカバー部に対して、その下方に続く連結部が、ノズルの外筒部の外周面に沿うように、ノズルの吐出口とは反対側で半周分以上切除された横断面円弧形状に形成されており、ストッパー部が、ステム状に露出する小径筒状部の外周面に沿うように、ノズルの吐出口とは反対側で半周分未満だけ切除された横断面Ｃ字形状に形成されていると共に、横断面Ｃ字形状のストッパー部には、指掛け用となるリブが、ストッパー部の切除部分の縁部同士をつなぐ仮想面と平行したストッパー部の最大外径部の付近で、ストッパー部の外面から突出して左右一対となるように形成され、且つ、ストッパー部の軸線方向に延びる薄肉化された変形容易部が、連結部の切除部分の下方で、左右一対の指掛け用リブのそれぞれに対応して、ストッパー部の指掛け用リブの部分から連結部の切除部分の縁部下方までの領域に形成されていることを特徴とするストッパー付きノズルカバーキャップ。
【発明の詳細な説明】
【技術分野】
【０００１】
本発明は、ポンプ式吐出容器に対して着脱自在に装着されるノズルカバーキャップに関し、特に、ノズルの吐出口を覆うノズルヘッドカバー部と、ノズルの下降を阻止するストッパー部とが、両者を連結する連結部を介して一体的に形成されている、ポンプ式吐出容器用のストッパー付きノズルカバーキャップに関する。
【背景技術】
【０００２】
容器のキャップから上方に突設されたノズルを操作することで、容器内に収納された内容液を、そのまま或いは泡状態として、ノズルの吐出口から容器外に吐出するようなポンプ機構を備えたポンプ式吐出容器については、従来から様々な構成のものが提案されていて、シャンプー，リンス，ハンドソープ，洗顔剤，整髪剤，ひげ剃り剤等の液体を内容物として既に数多く商品化されている。
【０００３】
そのようなポンプ式吐出容器では、容器内のシリンダとピストン、及び、容器外のノズルとを主な構成部材とするポンプ機構によって、容器のキャップから上方に突出したノズルを操作することにより、容器の口部から容器内に垂設されたシリンダの内部で、キャップの天板部を貫通してノズルと連結されたピストンを、バネ力により常に上方に付勢された状態で所定範囲だけ上下動させることで、容器内に収納されている液体をシリンダの下端から吸い上げて、そのままの状態で、或いは、空気を混入して泡状態としてから、ノズルの吐出口から容器外に吐出するようにしている。
【０００４】
そのようなポンプ式吐出容器に対して、ノズルの吐出口から埃が入ったりするのを防止すると共に、ノズルが上限位置から不用意に下降するのを防止するために、ノズルの吐出口を覆うノズルヘッドカバー部と、ノズルの下降を阻止するストッパー部とを、両者を連結する連結部を介して一体的に形成した、ストッパー付きノズルカバーキャップといえるものが、下記の特許文献等により従来公知となっている。
【先行技術文献】
【特許文献】
【０００５】
【特許文献１】特開平１０−２６３４４３号公報
【特許文献２】特開２００３−１０４４１５号公報
【発明の概要】
【発明が解決しようとする課題】
【０００６】
ところで、上記のような従来公知のストッパー付きノズルカバーキャップでは、ポンプ式吐出容器に対して着脱自在に装着できるように、その上下方向全体にわたって、ノズルの吐出口とは反対側の部分が切除されており、容器への装着時には、この切除部分を拡開して容器側の装着部分（被装着部分）と嵌合するようになっていて、この切除部分については、ノズルカバーキャップ上下方向全体にわたって、ノズルカバーキャップの周方向で半周分よりも小さくなるように切除されている。
【０００７】
すなわち、特許文献１に記載された「カバーキャップ７」では、該文献の「請求項１」の「周方向の間隔が押下げヘッド６周壁の外径よりも小さく、かつ押下げヘッド６周壁の正面部６ａに摺動自在に係合して拡開する装着口８」という記載、および、図６に示すように、「カバーキャップ７」の上下方向全体にわたって、切除部分に相当する「装着口８」が、「カバーキャップ７」の周方向で半周分よりも小さくなるように切除されている。
【０００８】
また、特許文献２に記載された「カバー３１」では、該文献中の「請求項１」の「上記押下げヘッド２６、および該押下げヘッド周壁の下端からシリンダ付き装着部材上面までの間のステム外方露出部分のほぼ前過半部外面を覆い、ステム覆合部分３３は、ステム前面への強制押圧により後方開口部が弾性拡開して嵌合する横断面Ｃ字形状をなし、」という記載、および、図２に示すように、「カバー３１」の上下方向全体にわたって、切除部分に相当する「後方開口部」が、「カバー３１」の周方向で半周分よりも小さくなるように切除されている。
【０００９】
上記のような従来公知のストッパー付きノズルカバーキャップ（「カバーキャップ７」や「カバー３１」）によれば、切除部分に相当する「装着口８」や「後方開口部」を半周分よりも小さく切除していることで、換言すれば、「カバーキャップ７」や「カバー３１」を半周分よりも大きく覆うように嵌合させていることで、例えば、ノズルカバーキャップが装着された容器が、カートンケースに入れられて輸送されている間に強い振動を受けたり、或いは、カートンケースから取り出されて店頭陳列中に誤って落下させられてノズルヘッドに落下衝撃を受けたとしても、ノズルカバーキャップが容器側の装着部分から外れてしまう虞はない。
【００１０】
しかしながら、そのように容器側の装着部分に対してノズルカバーキャップを強く装着していることで、力の弱い女性や高齢者等にとっては、容器側の装着部分からノズルカバーキャップを取り外す際に、比較的大きな力が必要になって取り外し難いものとなり、また、ノズルカバーキャップを再装着する際にも、容器側の装着部分の外径以上に切除部分を拡開するように弾性変形させる力が必要となるので、ノズルカバーキャップを再装着するのが難しいという印象を与えることになる。
【００１１】
すなわち、ストッパー付きノズルカバーキャップは、例えば、ポリプロピレン樹脂、アクリル樹脂、ＡＢＳ樹脂等のような、比較的硬質で剛性を有し、且つ、適度の弾力性を有する熱可塑性樹脂で製造されることが好ましく、また、振動や落下衝撃等を受けても容器側の装着部分から外れることのないように、容器側の装着部分を半周分以上覆うように嵌合させることが望ましいのであるが、そのようにすることで、上記のようにノズルカバーキャップを着脱するのに強い力が必要になるという問題が生じることとなる。
【００１２】
本発明は、上記のような問題の解消を課題とするもので、具体的には、ポンプ式吐出容器に対して着脱自在に装着されるストッパー付きノズルカバーキャップについて、容器側の装着部分（被装着部分）に対して、振動や衝撃を受けても外れることなく、しかも、弱い力で容易に着脱できるようにすることを課題とするものである。
【課題を解決するための手段】
【００１３】
本発明は、上記のような課題を解決するために、容器の口部に冠着されるキャップの上方に、ノズルヘッドの側方に吐出口を突出させたノズルが配設され、ノズルの外筒部とキャップの天板部との間に、ノズルの外筒部よりも小径の筒状部がステム状に露出しているポンプ式吐出容器に対して着脱自在に装着されるストッパー付きノズルカバーキャップであって、ノズルの吐出口を覆うノズルヘッドカバー部と、ノズルの下降を阻止するストッパー部とが、両者を連結する連結部を介して一体的に形成されているストッパー付きノズルカバーキャップにおいて、
ノズルの吐出口を覆うノズルヘッドカバー部に対して、その下方に続く連結部が、ノズルの外筒部の外周面に沿うように、ノズルの吐出口とは反対側で半周分以上切除された横断面円弧形状に形成されており、ストッパー部が、ステム状に露出する小径筒状部の外周面に沿うように、ノズルの吐出口とは反対側で半周分未満だけ切除された横断面Ｃ字形状に形成されていると共に、横断面Ｃ字形状のストッパー部には、指掛け用となるリブが、ストッパー部の切除部分の縁部同士をつなぐ仮想面と平行したストッパー部の最大外径部の付近で、ストッパー部の外面から突出して左右一対となるように形成され、且つ、ストッパー部の軸線方向に延びる薄肉化された変形容易部が、連結部の切除部分の下方で、左右一対の指掛け用リブのそれぞれに対応して、ストッパー部の指掛け用リブの部分から連結部の切除部分の縁部下方までの領域に形成されていることを特徴とするものである。
【発明の効果】
【００１４】
上記のような本発明のストッパー付きノズルカバーキャップによれば、小径筒状部の外周面に沿うように形成されるストッパー部が、ノズルの吐出口とは反対側で半周分未満だけ切除された横断面Ｃ字形状に形成されていることから、換言すれば、容器側の装着部分（小径筒状部）の外周面を半周分よりも大きく覆うようにストッパー部を嵌合させていることから、容器側の装着部分にノズルカバーキャップを確実に保持させることができて、振動や衝撃によりノズルカバーキャップが外れるのを防止することができる。
【００１５】
しかも、ストッパー付きノズルカバーキャップを着脱する際には、連結部の部分で半周分以上切除されていることから、ノズルの吐出口を覆うノズルヘッドカバー部と、その下方に続く連結部の部分では、着脱の際に殆ど抵抗を受けることはなく、また、ストッパー部では、指掛け用となる一対のリブと薄肉化された変形容易部とが形成されていることから、ストッパー部を指先で挟んだ際に、指先がリブに掛かって滑らず、リブに指先を掛けてストッパー部を着脱するときには、変形容易部が変形してストッパー部の切除部分が容易に拡開することとなる。その結果、容器側の装着部分に対してノズルカバーキャップを弱い力で容易に着脱することができる。
【図面の簡単な説明】
【００１６】
【図１】本発明のストッパー付きノズルカバーキャップが装着されたポンプ式吐出容器の一例を示す部分断面側面図である。
【図２】本発明のストッパー付きノズルカバーキャップの一実施例を示す斜視図である。
【図３】図２に示したストッパー付きノズルカバーキャップを側方から見た状態を示す側面図である。
【図４】図２に示したストッパー付きノズルカバーキャップを下方から見た状態を示す下面図である。
【図５】本発明のストッパー付きノズルカバーキャップの他の実施例を示す斜視図である。
【図６】図５に示したストッパー付きノズルカバーキャップを側方から見た状態を示す側面図である。
【発明を実施するための形態】
【００１７】
容器の口部に冠着されるキャップの上方に、ノズルヘッドの側方に吐出口を突出させたノズルが配設され、ノズルの外筒部とキャップの天板部との間に、ノズルの外筒部よりも小径の筒状部がステム状に露出しているポンプ式吐出容器に対して着脱自在に装着されるストッパー付きノズルカバーキャップであって、ノズルの吐出口を覆うノズルヘッドカバー部と、ノズルの下降を阻止するストッパー部とが、両者を連結する連結部を介して一体的に形成されているストッパー付きノズルカバーキャップについて、
容器の装着部分に対して、振動や衝撃を受けても外れることなく、しかも、弱い力で容易に着脱できるようにするという目的を、以下の実施例に具体的に示すように、
ノズルの吐出口を覆うノズルヘッドカバー部に対して、その下方に続く連結部を、ノズルの外筒部の外周面に沿うように、ノズルの吐出口とは反対側で半周分以上切除された横断面円弧形状に形成し、ストッパー部を、ステム状に露出する小径筒状部の外周面に沿うように、ノズルの吐出口とは反対側で半周分未満だけ切除された横断面Ｃ字形状に形成すると共に、
横断面Ｃ字形状のストッパー部には、指掛け用となるリブを、ストッパー部の切除部分の縁部同士をつなぐ仮想面と平行したストッパー部の最大外径部の付近で、ストッパー部の外面から突出して左右一対となるように形成し、且つ、ストッパー部の軸線方向に延びる薄肉化された変形容易部を、連結部の切除部分の下方で、左右一対の指掛け用リブのそれぞれに対応して、ストッパー部の指掛け用リブの部分から連結部の切除部分の縁部下方までの領域に形成する、ということで実現した。
【００１８】
ポンプ式吐出容器については、容器内に収納された液体をそのまま吐出するもの、また、容器内に収納された液体に空気を混入して泡状態としてから吐出するもの、その何れについても、従来から様々な構成のポンプ機構を備えたものが数多く提案されて商品化されている。これに対して、本発明のストッパー付きノズルカバーキャップは、容器の口部に冠着されるキャップの上方に、ノズルヘッドの側方に吐出口を突出させたノズルが配設され、ノズルの外筒部とキャップの天板部との間に、ノズルの外筒部よりも小径の筒状部がステム状に露出している限りにおいて、どのような構成のポンプ機構によるポンプ式吐出容器に対しても適用可能なものである。
【００１９】
具体的には、例えば、ノズルの外筒部とキャップの天板部との間に露出する「ステム状の小径筒状部」については、ポンプ機構の具体的な構成の相違により内容が異なるものであって、図１に示したものでは、キャップの天板部の開口縁から上方に突出する筒状のガイド部であるが、そのようなものに限らず、ノズルの内筒部である場合もあるし、ノズルの内筒部と連結するピストンの上部筒部である場合もあるし、ノズルとピストンを連結するロッド部である場合もある等、具体的な構造や外径が異なっていても、ノズルの外筒部の下方にステム状の小径筒状部が露出している限りにおいて、本発明のストッパー付きノズルカバーキャップが適用可能である。
【００２０】
そのような本発明のストッパー付きノズルカバーキャップの一実施例について以下に説明する。なお、ストッパー付きノズルカバーキャップが装着されるポンプ式吐出容器のポンプ機構それ自体については、従来から様々なものが数多く公知となり商品化されていて、本発明では特に構成を限定していないことから、その具体的な構成についての詳細な説明は省略する。
【実施例】
【００２１】
本実施例のストッパー付きノズルカバーキャップは、ポリプロピレン樹脂、アクリル樹脂、ＡＢＳ樹脂等のような比較的硬質で弾性変形に優れた熱可塑性樹脂材料から一体成形されるものであって、図１に示すように、容器１の口部に冠着されるキャップ３の上方に、ノズルヘッドの側方に吐出口２１を突出させたノズル２が配設され、ノズル２の外筒部２２とキャップ３の天板部との間に、ノズル２の外筒部２２よりも小径の筒状部４がステム状に露出しているポンプ式吐出容器に対して着脱自在に装着されるものである。なお、ポンプ式吐出容器１のステム状の小径の筒状部４は、本実施例では、キャップ３の天板部の中央開口部の開口縁から上方に突出する筒状のガイド部である。
【００２２】
そのようなポンプ式吐出容器１に対して着脱自在に装着される本実施例のストッパー付きノズルカバーキャップ１０は、ノズル２の吐出口２１を覆うためのノズルヘッドカバー部１１と、ノズル２が上限位置から下降するのを防止するためのストッパー部１３とが、両者を連結する連結部１２を介して一体的に形成されたものである。ノズル２の吐出口を覆うノズルヘッドカバー部１１は、ノズル２の頭部であるノズルヘッドに対応する部分であって、ノズルヘッドで側方に突出する吐出口２１の部分を完全に覆っていると共に、ノズルヘッドの側面や下面を部分的に覆っている。
【００２３】
ノズル２の吐出口を覆うノズルヘッドカバー部１１は、ノズルヘッドの側面や下面を覆う部分で、下方に続く連結部１２と自然な形状で連結されている。ノズルヘッドカバー部１１の下方に続く連結部１２は、ノズルヘッドの下面から下方に垂下するノズル２の外筒部２２に対応する部分であって、ノズル２の外筒部２２の外周面に沿うように形成されており、ノズル２の吐出口２１とは反対側で、図２〜図４に示すように、周方向で半周分以上、上下方向に切除されていて、この切除部分を除いた部分を連結部１２として、横断面が半円以下の円弧形状となるように形成されている。
【００２４】
連結部１２の下方に続くストッパー１３は、ノズル２の外筒部２２とキャップ３の天板部との間に露出するステム状の小径筒状部４（本実施例では、キャップの天板部の開口縁から上方に突出する筒状のガイド部）に対応する部分であって、ステム状の小径筒状部４の外周面に沿うように形成されており、ノズル２の吐出口とは反対側で、図２〜図４に示すように、周方向で半周分未満（本実施例では、全周の約１／４分）の幅だけ、上下方向に切除されていて、この切除部分を除いた部分をストッパー部１３として、横断面が半円よりも大きいＣ字形状となるように形成されている。
【００２５】
この横断面Ｃ字形状に形成されたのストッパー部１３には、指掛け用となるリブ１４が、ストッパー部１３の切除部分の縁部同士をつなぐ仮想面と平行したストッパー部１３の最大外径部の付近で、ストッパー部１３の略対向する位置で左右一対となって、ストッパー部１３の外面から小さく突出する（指掛け性の観点からは、ストッパー部１３の外面からの突出高さは２〜４ｍｍが好ましい）ように形成されていると共に、薄肉化された変形容易部１５が、連結部１２の切除部分の下方（連結部１２と接続されない部分）でストッパー部１３の適所に、ストッパー部１３の軸線方向に延びるように形成されている。
【００２６】
なお、このストッパー部１３の変形容易部１５について、本実施例では、図２及び図４に示すように、左右一対の指掛け用リブ１４に対応して、該リブ１４の裏側で、該リブ１４の部分から連結部１２の切除部分の縁部下方までの領域に、左右一対となるように形成されている。すなわち、ストッパー付きノズルカバーキャップ１０を着脱する際に、拡開する必要のある部分に変形容易部１５を設けているので、着脱操作が容易となる。
【００２７】
上記のような本実施例のストッパー付きノズルカバーキャップ１０によれば、小径筒状部４の外周面に沿うように形成されるストッパー部１３が、ノズル２の吐出口２１とは反対側で半周分未満だけ切除された横断面Ｃ字形状に形成されていることから、換言すれば、容器側の装着部分（小径筒状部４）の外周面を半周分よりも大きく覆うようにストッパー部１３を嵌合させていることから、ノズルカバーキャップ１０を、容器側の装着部分に確実に保持させることができて、振動や衝撃によりノズルカバーキャップ１０が外れるのを防止することができる。
【００２８】
しかも、ストッパー付きノズルカバーキャップ１０を着脱する際には、連結部１２の部分で半周分以上切除されていることから、ノズル２の吐出口２１を覆うノズルヘッドカバー部１１と、その下方に続く連結部１２の部分では、着脱の際に殆ど抵抗を受けることはない。また、ストッパー部１３では、指掛け用となる一対のリブ１４と薄肉化された変形容易部１５とが形成されていることから、ストッパー部１３を指先で挟んだ際に、指先がリブ１４に掛かって滑らず、リブ１４に指先を掛けてストッパー部１３を着脱する際に、変形容易部１５が変形してストッパー部１３の切除部分が容易に拡開することとなる。その結果、容器側の装着部分に対してノズルカバーキャップ１０を弱い力で容易に着脱することができる。
【００２９】
以上、本発明のストッパー付きノズルカバーの一実施例について説明したが、本発明は、上記のような実施例に限定されるものではなく、例えば、上記の本実施例に示したノズルヘッドカバー部では、ノズルヘッドの頂面を覆うようにしていないが、図５及び図６に示すように、ノズルヘッドの頂面を覆うようにしても良く、また、上記の実施例に示したストッパー部では、切除部分を全周の約１／４分としているが、半周分未満である限りにおいて適宜に変更可能である等、適宜に変更可能なものであることは言うまでもない。
【符号の説明】
【００３０】
１        ポンプ式吐出容器
２        ノズル
３        キャップ
４        ステム状の小径筒状部
１０      ストッパー付きノズルカバーキャップ
１１      ノズルヘッドカバー部
１２      連結部
１３      ストッパー部
１４      指掛け用のリブ
１５      薄肉化された変形容易部
２１      ノズルの吐出口
２２      ノズルの外筒部
【図１】
0005511459.tif 000002
【図２】
0005511459.tif 000003
【図３】
0005511459.tif 000004
【図４】
0005511459.tif 000005
【図５】
0005511459.tif 000006
【図６】
0005511459.tif 000007